(57)【要約】【課題】地震時におけるディスペンサーの如き機器類の転倒や滑動を効果的に防止できるとともに、振動吸収機能をも持った耐震装置が低コストで提供でき、しかも載置部にねじ孔等の傷を作ることなく設置できる機器類の耐震装置を提供する。【解決手段】機器類の底面に突設させたボルト式高さ調整用脚からの荷重を支持させる支持基板と、該支持基板の上面に前記高さ調整用脚の下端を相対移動不能に嵌合させる脚嵌合部とを有し、前記支持基板の底面には、ポリウレタンエラストマー等の粘着性を有する柔軟性板状材からなる吸振材と、前記支持基板を介して加わる前記機器類の荷重を受ける荷重支持部とを有し、前記吸振材を前記機器類が載置される機器類載置部表面に貼着させ、前記支持基板に前記機器類の荷重が作用して吸振材が圧縮された状態で前記荷重支持部が前記機器類載置部表面に当接されるようにする。【選択図】  図８
2012237411.tif 000002
【特許請求の範囲】
【請求項１】
機器類の底面に突設させたボルト式高さ調整用脚からの荷重を支持させる支持基板と、該支持基板の上面に前記高さ調整用脚の下端を相対移動不能に嵌合させる脚嵌合部とを有し、
前記支持基板の底面には、ポリウレタンエラストマー等の粘着性を有する柔軟性板状材からなる吸振材と、前記支持基板を介して加わる前記機器類の荷重を受ける荷重支持部とを有し、
前記吸振材を前記機器類が載置される機器類載置部表面に貼着させ、前記支持基板に前記機器類の荷重が作用して吸振材が圧縮された状態で前記荷重支持部が前記機器類載置部表面に当接されるようにしてなる機器類の耐震装置。
【請求項２】
前記高さ調整用脚は、前記機器類の底面のねじ孔内に螺進退自在に嵌合させるボルト部と、該ボルト部の下端に固定したフランジ状をした座板部と、該座板部の上面に一体に形成された角形ボルト頭部とを備え、
前記支持基板の上面の嵌合部は、該支持基板の上面との間に前記座板の厚さ分の間隔を隔てて固定した座板止め部材と、該座板止め部材の縁部をＵ字状に切り欠いた形状に形成され、内部で前記角形ボルト頭部が回転可能な状態で嵌合される係合凹部と、該係合凹部のＵ字状の開放部位置の前記支持基板に着脱自在に螺合され、前記係合凹部からの前記角形ボルト頭部の抜け出しを防止する止め具とを備えて構成されている請求項１に記載の機器類の耐震装置。
【発明の詳細な説明】
【技術分野】
【０００１】
本発明は、主としてレストランや喫茶店、ファーストフードショップ等において使用するディスペンサー等の機器類の地震時における振動を和らげるとともに転倒や滑動を防止する耐震装置に関する。
【背景技術】
【０００２】
従来、各種飲食店において、コーヒーなどの飲料を、ボタンやレバー操作によって供給するディスペンサーが多く提供されている。これらの機器は、操作の都合上から、操作者が普通に立った状態で操作できるように、所定高さの置き台上に設置されている。
【０００３】
これらの機器類は、水平度を調整するための高さ調整用脚が使用されているものが殆どであり、多くの場合、底面四隅にボルトを使用した脚を上下に移動させて高さを調整することによって水平度を調整している。
【０００４】
このような高さ調整用脚を使用した機器類の地震時の転倒防止方法としては、機器類載置部に支持基板をアンカーボルト等によってねじ止めし、その支持基板に高さ調整用脚を脱落不能に係合させることによって滑動や転倒を防止した耐震装置が使用されている（例えば特許文献１）。
【先行技術文献】
【特許文献】
【０００５】
【特許文献１】特開２０１０−２８２２５１号公報
【発明の概要】
【発明が解決しようとする課題】
【０００６】
上述の如き従来の耐震装置では、機器類設置場所が、コンクリート床等の構造物である場合には好適であるが、調理台や棚である場合、それらの表面に対するねじ止めができなかったり、またねじ止めが可能であっても、その後が残るため機器類の設置場所を移動したり、設置機種を変更したりする度に、先に設置してあった機器類のねじ止孔を修理する必要がある。
【０００７】
また、機器類を載置部上に固定するものであるため、地震時の振動を和らげる作用がなく、内部の収容物が漏れ出たり、機器類が損傷したりすることを防止できないものであった。
【０００８】
本発明は、このような従来の問題に鑑み、地震時におけるディスペンサーの如き機器類の転倒や滑動を効果的に防止できるとともに、振動吸収機能をも持った耐震装置が低コストで提供でき、しかも載置部にねじ孔等の傷を作ることなく設置できる機器類の耐震装置の提供を目的としてなされたものである。
【課題を解決するための手段】
【０００９】
上述の如き従来の問題を解決し、所期の目的を達成するための請求項1に記載の発明の特徴は、機器類の底面に突設させたボルト式高さ調整用脚からの荷重を支持させる支持基板と、該支持基板の上面に前記高さ調整用脚の下端を相対移動不能に嵌合させる脚嵌合部とを有し、前記支持基板の底面には、ポリウレタンエラストマー等の粘着性を有する柔軟性板状材からなる吸振材と、前記支持基板を介して加わる前記機器類の荷重を受ける荷重支持部とを有し、前記吸振材を前記機器類が載置される機器類載置部表面に貼着させ、前記支持基板に前記機器類の荷重が作用して吸振材が圧縮された状態で前記荷重支持部が前記機器類載置部表面に当接されるようにしてなる機器類の耐震装置ある。
【００１０】
請求項２に記載の発明の特徴は、請求項１の構成に加え、前記高さ調整用脚は、前記機器類の底面のねじ孔内に螺進退自在に嵌合させるボルト部と、該ボルト部の下端に固定したフランジ状をした座板部と、該座板部の上面に一体に形成された角形ボルト頭部とを備え、前記支持基板の上面の嵌合部は、該支持基板の上面との間に前記座板の厚さ分の間隔を隔てて固定した座板止め部材と、該座板止め部材の縁部をＵ字状に切り欠いた形状に形成され、内部で前記角形ボルト頭部が回転可能な状態で嵌合される係合凹部と、該係合凹部のＵ字状の開放部位置の前記支持基板に着脱自在に螺合され、前記係合凹部からの前記角形ボルト頭部の抜け出しを防止する止め具とを備えて構成されていることにある。
【発明の効果】
【００１１】
本発明に係る耐震装置は、機器類の高さ調整用脚が係合される支持基板の底面と機器類載置部表面との間にポリウレタンエラストマー等の粘着性を有する柔軟性板状材からなる吸振材を介在させているため、弾性によって地震時の振動が吸収されて機器類に加わる振動がやわらげられ、且つ粘着力によって支持基板と機器類載置部表面との間を柔軟な状態で連結しているため、吸振のみでなく機器類の滑動をも効果的に防止される。
【００１２】
更に、前記支持基板の底面には、ポリウレタンエラストマー等の粘着性を有する柔軟性板状材からなる吸振材と、前記支持基板を介して加わる前記機器類の荷重を受ける荷重支持部とを有し、前記吸振材を前記機器類が載置される機器類載置部表面に貼着させ、前記支持基板に前記機器類の荷重が作用して吸振材が圧縮された状態で前記荷重支持部が前記機器類載置部表面に当接されるようにしたことにより、機器類の荷重が支持基板にかかった状態では、その重量のほとんどを荷重支持部が受け持ち、吸振材はわずかに圧縮変形された状態で、その上下両面が支持基板の底面と機器類載置部表面に接着された状態で維持されるため、地震発生時以外の常時は、吸振材に対しては接着に必要な圧力以上に加圧しない状態を維持することができ、長期間経過してもへたりが発生せず、地震時における縦揺れ、横揺れに対し、設置時と同じ状態で対応することとなる。
【００１３】
また、前記高さ調整用脚は、前記機器類の底面のねじ孔内に螺進退自在に嵌合させるボルト部と、該ボルト部の下端に固定したフランジ状をした座板部と、該座板部の上面に一体に形成された角形ボルト頭部とを備え、前記支持基板の上面の嵌合部は、該支持基板の上面との間に前記座板の厚さ分の間隔を隔てて固定した座板止め部材と、該座板止め部材の縁部をＵ字状に切り欠いた形状に形成され、内部で前記角形ボルト頭部が回転可能な状態で嵌合される係合凹部と、該係合凹部のＵ字状の開放部位置の前記支持基板に着脱自在に螺合され、前記係合凹部からの前記角形ボルト頭部の抜け出しを防止する止め具とを備えて構成させることにより、機器類設置の際の装着が容易となる。
【図面の簡単な説明】
【００１４】
【図１】本発明に係る耐震装置の使用例を示す斜視図である。
【図２】図1に示す装置に使用している高さ調整用脚の平面図である。
【図３】同、判断正面図である。
【図４】図１に示す装置の支持基板部分を示す平面図である。
【図５】同、側面図である。
【図６】同、底面図である。
【図７】同、正面図である。
【図８】図1に示す装置の使用状態の部分拡大端面図である。
【発明を実施するための形態】
【００１５】
次に、本発明の実施の態様を、図面に示した実施例に基づいて説明する。
【００１６】
図において符号１０は、本発明に係る耐震装置を示している。この耐震装置１０は、ディスペンサーなどの機器類Ａの底面に突設させたボルト式の高さ調整用脚１１と、この高さ調整用脚１１からの荷重を支持させる支持基板１２と、該支持基板１２の上面に前記高さ調整用脚の下端を相対移動不能に嵌合させる脚嵌合部１３と、支持基板１１の底面に貼着した吸振材１４と、同じく支持基板１２の底面に突設した荷重支持部１５とから構成されている。
【００１７】
高さ調整用脚１１は、機器類Ａの底面のねじ孔内に螺進退自在に嵌合させるボルト部２０と、該ボルト部２０の下端に固定したフランジ状をした座板部２１と、該座板部２１の上面に一体に形成された角形ボルト頭部２２から構成されている。
【００１８】
ボルト部２０は、鉄製の皿型頭部を有するボルトが使用され、座板部２１と角形ボルト頭部２２とは、合成樹脂材料をもって一体に成形され、角形ボルト頭部２２の中心にボルト部２０の皿型頭部が埋め込まれている。角形ボルト頭部２２は六角形状のものが使用されているが、四角でもよく、また円形の両側面を互いに平行な切り欠き面を有する形状など、スパナーによって旋回させることができる平行な面が両側部にある形状であればよい。
【００１９】
支持基板１２は、平面が長方形状をした金属板材からなり、その長方形状の長さ方向の一端側に片寄せた位置の上面に脚嵌合部１３が備えられている。脚嵌合部１３は、支持基板１２の両側部間にブリッジ状に配置した座板止め部材２５を有している。この座板止め部材２５は、矩形をした平板の両端を下側に折り曲げた形状をしており、両端を支持基板１２の両縁部上面に溶接することによって支持基板１２と一体化されている。
【００２０】
座板止め部材２５下面と支持基板１２の表面との間は、前述した高さ調整用脚１１の座板部２１がこじりを生じさせず、且つ上下に移動できない状態で挿入できる間隔となっている。座板止め部２５の一方側の縁部には、該縁部を中央部側にＵ字状に切り欠いた形状の係合凹部２６が形成されている。この係合凹部２６は、内部に高さ調整脚１１の角形ボルト頭部２２が上下に貫通した状態で回転可能に嵌り合う幅に形成されている。
【００２１】
支持基板１２の表面には、係合凹部２６の座板止め部材縁部の開口部位置に、取り外し自在に螺合された止めねじ２７が立設されている。この止めねじ２７によって係合凹部２６内に嵌合された高さ調整用脚１１を外れ止めさせている。
【００２２】
支持基板１１底面の吸振材１４は、ポリウレタンエラストマーからなる粘着性を有する軟質で柔軟性を有する板状材が使用され、機器類Ａの重量によって圧縮変形されるが、地震時の横揺れによる機器類の慣性力によっては破壊されないせん断強度有している。
【００２３】
支持基板１１底面の荷重支持部１５は、この種の機器類の通常時の荷重によってはほとんど変形しない程度の硬さを有する硬質弾性ゴム材が使用されており、これを支持基板１１の底面に接着することによって構成されている。この荷重支持部１５固定は、前記貼着の他、ねじ止めによってもよい。
【００２４】
荷重支持部１５の厚さは前述した吸振材１４の厚さより小さく形成されており、支持基板１１に機器類Ａの荷重が作用して吸振材１４が圧縮された状態で荷重支持部１５が支持部表面に当接されるようにしている。
【００２５】
このように構成される耐震装置の使用に際しては、図１に示すように、例えば、４本の既設高さ調整用脚３１が使用されている機器類Ａの場合、対角配置にある２本の既設高さ調整用脚を本発明における高さ調整用脚１１，１１に取り換えて設置する。
【００２６】
設置に際しては、高さ調整用脚１１，１１の固定位置を機器類に応じて決定し、これに対応させて２つの装置１０，１０を同じ前後方向の向きにし、支持基板底面の吸振材下面を機器類載置部表面３０に貼着させる。
【００２７】
次いで止めねじ２７を外した状態で、機器類にあらかじめ螺合させた高さ調整用脚１１，１１の座板部２１座板止め部材２５の下に挿入し、角形ボルト頭部２２を係合凹部２６の最奥部まで嵌合させ、然る後止めねじ２７をねじ込んで立設する。これによって係合凹部２６からのはずれ止めがなされる。
【００２８】
このようにして２本の高さ調整用脚１１，１１をそれぞれ耐震装置１０に支持させた状態で４本の高さ調整用脚の突出長さを調整し、機器類Ａの水平度を調整する。
【００２９】
尚、この例では２本の高さ調整用脚に装着しているが、全ての脚に対して設置するようにしてもよい。
【００３０】
このように構成される耐震装置は、機器類Ａの荷重が支持基板１２にかかった状態では、その重量のほとんどを荷重支持部１５によって受け持ち、吸振材１４はわずかに圧縮変形された状態で、その上下両面が支持基板１２の底面と機器類載置部表面３０に接着された状態で維持されるため、地震発生時以外の常時は、吸振材に対しては接着に必要な圧力以上に加圧しない状態を維持することができ、長期間経過してもへたりが発生せず、地震時における横揺れに対し、設置時と同じ状態で対応することとなる。
【符号の説明】
【００３１】
Ａ  機器類
１０  耐震装置
１１  高さ調整用脚
１２  支持基板
１３  脚嵌合部
１４  吸振材
１５  荷重支持部
２０  ボルト部
２１  座板部
２２  角形ボルト頭部
２５  座板止め部材
２６  係合凹部
２７  止めねじ
３０  機器類載置部表面
３１  既設高さ調整用脚
【図１】
2012237411.tif 000003
【図２】
2012237411.tif 000004
【図３】
2012237411.tif 000005
【図４】
2012237411.tif 000006
【図５】
2012237411.tif 000007
【図６】
2012237411.tif 000008
【図７】
2012237411.tif 000009
【図８】
2012237411.tif 000010